(57)【要約】【課題】製品内部の部品形状に馴染みやすく内部部品に密着して輸送時、保管時の振動、衝撃から内部部品を保護し、使用後の廃棄時は平板状に分解して嵩張りを小さくし、しかも、分別処理を要することなくリサイクル用の廃材とし効率よく処分することができる包装用緩衝材を提供する。【解決手段】包装用緩衝材２１は平板状紙材を素材とし、その素材の折り曲げや差込の手段により立体形状のクサビ状に組み立てられ、部品３と接する接触面２２の内側の起立片３５に切欠き３６が設けられる。この包装用緩衝材２１は製品２内面と部品３との間に差込まれて切欠き３６により部品に馴染み、輸送時、保管時の振動、衝撃から内部部品を保護する。【選択図】          図６
2004268966.tif 000002
【特許請求の範囲】
【請求項１】
製品内面と部品との間に差込まれて部品保護のために使用される包装用緩衝材であって、この包装用緩衝材は平板状紙材を素材とし、その素材の折り曲げや差込の手段により立体形状のクサビ状に組み立てられるとともに、前記部品と接する接触面の内側の起立片に切欠きを設けたことを特徴とする包装用緩衝材。
【発明の詳細な説明】
【０００１】
本発明は、輸送時、保管時等の振動や衝撃に対して製品内部の部品を保護する包装用緩衝材に関する。
【０００２】
【従来技術】
従来、この種、包装用緩衝材の構造は図５に示してある。この包装用緩衝材１は発泡スチロールによりクサビ状の立体形状に形成されている。そして、この包装用緩衝材１は図６に示すように、製品としての給茶機用置台２内部に配置される例えば部品としての浄水機３と製品としての給茶機用置台２内面との間に差込まれれて使用される。そして、この包装用緩衝材１は柔らかい発泡スチロール製であるため図７に示すように浄水機３の形状に馴染み浄水機３に密着して輸送時、保管時の振動、衝撃から耐えられる構造となっている。
【０００３】
そして、このように、発泡スチロール製の包装用緩衝材１により保護された浄水機３を内部に配置した給茶機用置台２は、使用現場に輸送するためにさらに外装箱等により包装される。即ち、図８に示すように、まず、段ボール製の下ケース４内に段ボール製の敷板５を敷きこんで嵌合し、この上に給茶機用置台２を置き、段ボール製のパッキング６を介して給茶機用置台２の位置決めをする。
【０００４】
次に、給茶機用置台２に段ボール製の外装箱７を被せ、その下端の開口部を下ケース４の外周に嵌合し、この外装箱７で給茶機用置台２の外周を覆う。次に、外装箱７の上端の開口部内に段ボール製の上ケース８を嵌合して給茶機用置台２の上面部を覆うとともに、段ボール製のパッキン９で給茶機用置台２を位置決めする。
【０００５】
この後、外装箱７の各フラップ１０を内側に織り込んで閉じ合わせ、その互いに対応する一対のフラップ１０の突合わせ縁の上に封函用テープ１１を貼りつけ、さらに外装箱７の上下部に渡る外周に包装用バンド１２を複数列に巻き付けて前記パッキング６，９が給茶機用置台２に密着するように締結する。
【０００６】
これにより、給茶機用置台２が輸送時や保管時等の振動や衝撃に耐え得るように梱包される。
【０００７】
一方、梱包された給茶機用置台２を輸送先の使用現場において開梱する際には、まず、包装用バンド１２を切断し、次に上ケース８を取り出して外装箱７を上方に引き上げ給茶機用置台２を露出させ、この状態で給茶機用置台２を下ケース４の上から取り出す。また、給茶機用置台２の扉１３を開き水タンク１４を引き出し、その後、浄水機３の包装用緩衝材１を取り出す。
【０００８】
そして、使用済みの外装箱７、下ケース４、敷板５、上ケース８、パッキング６，９、包装用緩衝材１をそれぞれ分解して嵩張りを小さくし、リサイクル用廃材として処分する。
【０００９】
しかし、従来の包装箱における外装箱７、下ケース４、敷板５、上ケース８、パッキング６，９はいずれも段ボール等の紙材で形成されているが、包装用緩衝材１が発泡スチロール製であることからリサイクル上、紙材と発泡スチロールとに分別処理が必要であり、処分の効率が低下するとともに、包装用緩衝材１が発泡スチロール製の立体形状であることから嵩張りをあまり小さくできない問題があった。
【００１０】
そこで、包装用緩衝材を分別処理を考慮して図４に示されるように外装箱７、下ケース４、敷板５、上ケース８、パッキング６，９と同様な段ボール等の紙材を用い、折り曲げや差込の手段により立体形状のクサビ状に組み立てて包装用緩衝材１５として使用することが考えられた。
【００１１】
【発明が解決しようとする課題】
しかし、このように、段ボール等の紙材で組み立てられた包装用緩衝材１５は発泡スチロール製の緩衝材１と比べて硬いため、製品としての給茶機用置台２と部品としての浄水機３との間に差込む際強い力を要し、作業性が悪く、また包装用緩衝材としての柔軟性に欠ける問題があった。
【００１２】
本発明はこのような点に鑑みなされたもので、その目的とするところは、製品内部の部品の形状に馴染みやすく製品内部部品に密着して輸送時、保管時の振動から内部部品を保護し、かつ廃棄時は嵩張りを小さくし、しかも、分別処理を要することなくリサイクル用の廃材とし効率よく処分することができる包装用緩衝材を提供することにある。
【００１３】
【課題を解決するための手段】
請求項１記載の包装用緩衝材は、製品内面と部品との間に差込まれて部品保護のために使用される包装用緩衝材であって、この包装用緩衝材は平板状紙材を素材とし、その素材の折り曲げや差込の手段により立体形状のクサビ状に組み立てられるとともに、前記部品と接する接触面の内側の起立片に切欠きを設けたものである。
【００１４】
そして、この構成による包装用緩衝材は、製品内部の部品の形状に馴染みやすく製品内部部品に密着して輸送時、保管時の振動、衝撃から内部部品を保護し、かつ廃棄時は嵩張りを小さくし、しかも、分別処理を要することなくリサイクル用の廃材とし効率よく処分することができる。
【００１５】
【発明の実施の形態】
以下、本発明の一実施の形態を図面を参照して説明する。
【００１６】
【実施例】
図１に包装用緩衝材２１の展開図を示してあり、この包装用緩衝材２１は段ボール等の紙材で製せられ、部品と接触する接触面２２を有し、この接触面２２の一端側にミシン目等の折り目線２３，２４，２５が施され、この折り目線２３，２４間には平坦面２６、折り目線２４，２５間には垂直片２７、折り目線２５の外側には切り込み２８，２８を有する差込片２９がそれぞれ連接されている。
【００１７】
また、接触面２２の他端側にミシン目等の折り目線３０，３１が施され、この折り目線３０，３１間に垂直片３２が形成されている。そして、この垂直片３２の外側に連接して底板面３３が設けられ、この底板面３３の両側にミシン目等の折り目線３４，３４が施され、さらに、この折り目線３４，３４に連接し接触面２２に向かって先細り形状に形成された一対の起立片３５，３５が設けられ、この起立片３５，３５には一対の切欠き３６，３６と一対の切り込み３７，３７が設けられている。
【００１８】
次に、図１に示す展開状態の包装用緩衝材２１を立体形状のクサビ状に組み立てる手順について説明する。まず、折り目線３４，３４に沿って内側に９０°ずつ折り曲げ起立片３５，３５を起立させる。次に折り目線３１に沿って内側に９０°折り曲げ、さらに折り目線３０に沿って内側に９０°折り曲げ垂直片３２が立ち上がるとともに、接触面２２の裏面が起立片３５，３５に接する状態になる。
【００１９】
次に、折り目線２３，２４に沿って内側に折り曲げ平坦面２６を形成する。そして、さらに、折り目線２５に沿って内側に９０°折り曲げ垂直片２７を形成させながら差込片２９の切り込み２８，２８を起立片３５，３５の切り込み３７，３７に互いに差込み図２（Ａ）斜視図および図２（Ｂ）断面図に示されるようにクサビ状の包装用緩衝材２１が組み立てられる。
【００２０】
次に、この包装用緩衝材２１の使用手順について説明する。まず、図６に示すように製品としての給茶機用置台２の扉１３を開き水タンク１４を引き出し、その後、包装用緩衝材２１を給茶機用置台２の内面と給茶機用置台２に取り付けられた浄水機３との間に、そのクサビ部分を差込み浄水機３を固定する。この際、包装用緩衝材２１は起立片３５，３５の切欠き３６，３６により図３に示すように浄水機３の形状に馴染み、差込むための力を必要とせず、作業性良く、また、包装用緩衝材としての柔軟性もあるので浄水機３に密着して輸送時、保管時等の振動や衝撃を吸収して内部部品である浄水機３の保護ができる。
【００２１】
次に、このように、包装用緩衝材２１により部品が保護された製品しとての給茶機用置台２を包装する手順について説明する。図８に示されるように、まず、段ボール製の下ケース４内に段ボール製の敷板５を敷きこんで嵌合し、この上に給茶機用置台２を置き、段ボール製のパッキング６を介して給茶機用置台２の位置決めをする。
【００２２】
次に、給茶機用置台２に段ボール製の外装箱７を被せ、その下端の開口部を下ケース４の外周に嵌合し、この外装箱７で給茶機用置台２の外周を覆う。次に、外装箱７の上端の開口部内に段ボール製の上ケース８を嵌合して給茶機用置台２の上面部を覆うとともに、段ボール製のパッキング９で給茶機用置台２を位置決めする。
【００２３】
この後、外装箱７の各フラップ１０を内側に織り込んで閉じ合わせ、その互いに対応する一対のフラップ１０の突合わせ縁の上に封函用テープ１１を貼りつけ、さらに外装箱７の上下部に渡る外周に包装用バンド１２を複数列に巻き付けて前記パッキング６，９が給茶機用置台２に密着するように締結する。
【００２４】
これにより、給茶機用置台２が輸送時や保管時等の振動や衝撃に耐え得るように梱包される。
【００２５】
一方、梱包された給茶機用置台２を輸送先の使用現場において開梱する際には、まず、包装用バンド１２を切断し、次に上ケース８を取り出して外装箱７を上方に引き上げ給茶機用置台２を露出させ、この状態で給茶機用置台２を下ケース４の上から取り出す。また、給茶機用置台２の扉１３を開き水タンク１４を引き出し、その後、浄水機３の包装用緩衝材１を取り出す。
【００２６】
そして、使用済みの包装用緩衝材２１は図１に示すように平板状に展開し、外装箱７、下ケース４、敷板５、上ケース８、パッキング６，９とともに束ね、嵩張ることなくリサイクル用廃材として効率よく処分することができる。
【００２７】
即ち、包装用緩衝材２１は、外装箱７、下ケース４、敷板５、上ケース８、パッキング６，９と同質の紙材であることから、包装用緩衝材２１を分別する必要がなく、外装箱７、下ケース４、上ケース８、パッキング６，９と併せてリサイクル用廃材として処分することができる。
【００２８】
【発明の効果】
請求項１記載の包装用緩衝材によれば、製品内部の部品の形状に馴染みやすく製品内部部品に密着して輸送時、保管時の振動から内部部品を保護し、かつ廃棄時は嵩張りを小さくし、しかも、分別処理を要することなくリサイクル用の廃材とし効率よく処分することができる。
【図面の簡単な説明】
【図１】本発明の一実施形態に係る包装用緩衝材の展開図である。
【図２】同上、包装用緩衝材を示し、（Ａ）は斜視図、（Ｂ）断面図である。
【図３】同上、包装用緩衝材の作用を説明する説明図である。
【図４】従来の包装用緩衝材の斜視図である。
【図５】従来の包装用緩衝材の斜視図である。
【図６】本発明および従来の包装用緩衝材を製品内面と内部部品との間に差し込んで使用する説明図である。
【図７】従来の包装用緩衝材の作用を説明する断面図である。
【図８】本発明および従来の包装箱の構造を示す斜視図である。
【符号の説明】
２    製品としての給茶機用置台
３    部品としての浄水機
４    下ケース
５    敷板
６    パッキング
７    外装箱
８    上ケース
９    パッキング
１０    フラップ
１１    封函用テープ
１２    包装用バンド
２１    包装用緩衝材
２２    接触面
２６    平坦面
２７    垂直片
２９    差込片
３２    垂直片
３３    底板面
３５    起立片
３６    切欠き
【図１】
2004268966.tif 000003
【図２】
2004268966.tif 000004
【図３】
2004268966.tif 000005
【図４】
2004268966.tif 000006
【図５】
2004268966.tif 000007
【図６】
2004268966.tif 000008
【図７】
2004268966.tif 000009
【図８】
2004268966.tif 000010